(57)【要約】      （修正有）【課題】簡易にして低コスト、しかも果菜類から発生するガスや湿気をその量に応じて適切に調節排気することができ、果菜類の種別に応じて適切に長期保存し、特にみかん類についてはその熟成まで図ることができる果菜類の保存用カバーを提供する。【解決手段】シート材を、天井部とこれに接合されて垂下される形の四方側面部を備えた無底の箱状に形成すると共に、相隣り合う側面接合部の内一部を開閉自在に構成し、前記天井部には、全天井面積より十分小さな面積の開口部を設け、前記開口部には、この開口部の面積を全閉、半開、全開に自由に調節できる蓋を設けたことを特徴とする果菜類の保存用カバー。【選択図】図１
0003120046.tif 000002
【実用新案登録請求の範囲】
【請求項１】
シート材を、天井部とこれに接合されて垂下される形の四方側面部を備えた無底の箱状に形成すると共に、相隣り合う側面接合部の内一部を開閉自在に構成し、
前記天井部には、全天井面積より十分小さな面積の開口部を設け、前記開口部には、この開口部の面積を全閉、半開、全開に自由に調節できる蓋を設けたことを特徴とする果菜類の保存用カバー。
【請求項２】
前記蓋は、前記天井部を切り欠いて形成したベロ状部材で構成し、前記天井部の上面及び前記ベロ状部材の端部には、該ベロ状部材の前記開口部に対する反転操作によって開度調節を行い、これを適度の開度位置で固定する密着材を取付けたことを特徴とする請求項１記載の果菜類の保存用カバー。
【請求項３】
前記シート材を、内部で発生したガスや空気を一方通行で外部に放出する通気性の有る樹脂製シート材で構成することを特徴とする請求項１記載の果菜類の保存用カバー。
【考案の詳細な説明】
【技術分野】
【０００１】
本考案は、コンテナ内に収納されて屋内配置された果菜類の保存用カバーに関し、簡易にして低コスト、しかも果菜類から発生するガスや湿気をその量に応じて適切に調節排気することができ、果菜類の種別に応じて適切に長期保存し、特にみかん類についてはその熟成まで図ることができる果菜類の保存用カバーに関する。
【背景技術】
【０００２】
１２月に収穫した温州みかんを１月〜３月に出荷したり、１月〜３月に収穫した晩柑類を３月〜５月に出荷することがある。この場合、収穫した果実をケース（コンテナ）に入れ、パレット上に積み上げて倉庫内に寝かせることになる。この時、みかん類の乾燥を防ぎ鮮度維持するため、本格的な貯蔵庫に搬入するか、他の果菜類同様カバーが被せられる。
【０００３】
従来の果菜類の保存用カバーの例としては、例えば特開平６−１５３７８５号公報（青果物のパレット単位の長期保存方法）、特開平８−３２２３７６号公報（貯蔵装置）、実用新案登録第３０４７３１３号公報（野菜コンテナ用シート）、特許第３５１３４０４号（結露防止性屋外用カバー）がある。
【０００４】
特開平６−１５３７８５号公報に記載の青果物のパレット単位の長期保存方法では、段ボール製容器１の内部に青果物２を収納し、かつ容器の中に少なくともエチレン吸収剤３を同封して、該段ボール製容器を複数個、輸送用パレット４の上に積み付けた後、プラスチックフィルム５で前記パレットの上に積み付けられた段ボール製容器の集合体の外周を被覆してユニット化すると同時にパレットと一体になるように固定した後、−２〜＋８℃の範囲で低温保存する。カバーシートとしては、パレットの上にケースを置き、その上から１枚物のプラスチックフィルムで覆った例が示されている。しかし、これでは空気の流通がなく湿気を帯びるので果実が腐敗してしまう恐れがある。
【０００５】
特開平８−３２２３７６号公報に記載の貯蔵装置には、基板上に枠を置いて貯蔵空間を形成し、この空間内に貯蔵用ガスを供給するようにしたＣＡ貯蔵の改良装置が示されている。ＣＡ貯蔵についての特別の装置であり、簡易に汎用できず、みかん類の冬期保存には利用できない。
【０００６】
実用新案登録第３０４７３１３号公報に記載の野菜コンテナシートは、コンテナを遮光性、透気性に優れたシートで覆い、その上から防水性及び遮光性に優れたシートで覆い、上側シートを両側からゴムバンドで下方向に引き止めるようにしたものである。しかし、新鮮果実では透気性に優れたシートといえど、十分量の透気を行うことができるシートは未だ開発されていないので、また、天井部は完全に防水性のあるシートで覆われているので、通気不足が懸念される。また、みかん等屋内保存の果菜類にあっては、防水性やゴムバンド等不要のものであり、倉庫内貯蔵のみかん類の保存には不適である。
【０００７】
特許第３５１３４０４号公報に記載の結露防止性屋外用カバーは、集荷コンテナを屋外放置するため、シートのベース基材を通気性シートとし、天井部全体を、その一辺を天井部の一側面に固定した吸水性シート内張りの防水性シートで覆い、ジャガイモ、玉ねぎ等から発生する水分が結露するのを防止するようにしたものである。しかし、これも屋外設置を目的とするもので、屋内設置である倉庫内貯蔵のみかん類には不適である。
【特許文献１】特開平６−１５３７８５号公報、第１頁、図１
【特許文献２】特開平８−３２２３７６号公報、第１頁、図１
【特許文献３】実用新案登録第３０４７３１３号公報、第１頁、図１
【特許文献４】特許第３５１３４０４号公報、第１頁、図５
【考案の開示】
【考案が解決しようとする課題】
【０００８】
本考案は、コンテナ内に収納されて屋内配置された果菜類の保存用カバーに関し、簡易にして低コスト、しかも果菜類から発生するガスや湿気をその量に応じて適切に調節排気することができ、果菜類の種別に応じて適切に長期保存し、特にみかん類についてはその熟成まで図ることができる果菜類の保存用カバーを提供することを目的とする。
【課題を解決するための手段】
【０００９】
上記課題を解決することができる本考案の果菜類の保存用カバーは、シート材を、天井部とこれに接合されて垂下される形の四方側面部を備えた無底の箱状に形成すると共に、相隣り合う側面接合部の内一部を開閉自在に構成し、前記天井部には、全天井面積より十分小さな（せいぜい１５％）面積の開口部を設け、前記開口部には、この開口部の面積を全閉、半開、全開に自由に調節できる蓋を設けたことを特徴とする。
【００１０】
側面接合部の内一部（例えば１ヵ所）を面ファスナー等用いて開閉自在に構成するので、コンテナに対し着脱を容易にすることができる。開口部の面積は、シート材を通気性シートとする場合には、全天井面積に対し１０％以下とするのが基準である。非通気性シートの場合は５〜１０％で、全開口面積がこれらの値となるようより小さな開口部を複数ヶ所に分けて配置することもできる。
【００１１】
前記蓋は、前記天井部を切り欠いて形成したベロ状部材で構成し、前記天井部の上面及び前記ベロ状部材の端部には、該ベロ状部材の前記開口部に対する反転操作によって開度調節を行い、これを適度の開度位置で固定する面ファスナー等による密着材を取付けることで構成できる。
【００１２】
ベロ状部材を前記天井部を切り欠いて構成するので、資材の無駄がなく、縫合の手間が不要である。しかも、ベロ状部材はそれを反転させて開口面を開けることができるので、収納した果菜類の種別及び状況に応じて応じて開口面積を自由に調節できる。
【００１３】
前記シート材は、内部で発生したガスや空気を一方通行で外部に放出する通気性の有る樹脂製シート材で構成することが好ましい。
【００１４】
通気性のある樹脂製シート材としては、従来例のものや、透湿防水膜と、高強度、高耐久のポリエチレンメッシュを両面に備えた透湿防水性（６０７５〜７０００ｇ／ｍ2.ａｔｍ.２４ｈｒ）の３層複合素材（商品名ＯＨ！甘マルチシート）等を用いることができる。
【考案の効果】
【００１５】
本考案の果菜類の保存用カバーによれば、実用新案登録請求の範囲に記載の構成を有するので、天井部に備えた開口部の蓋を全閉、半開、全開に無段階で調節することができ、果菜類の種別及び状況に応じて適切な排気の調節をすることができる。
【００１６】
側面接合部の一部を開閉自在とし、無底の箱形に形成したシートの天井部に小さな開口部と蓋を有するだけの構成であるので、簡易にして取り扱い易く、低コストで提供できる。
【００１７】
シートを通気性シートで構成する場合には、ガスや湿気の排気をシート表面から行いつつ、その不足部の通気に関する部分を開口部及び蓋で調節できるので、各種果菜類に対応でき、特に秋口に収穫したみかんや、１月〜３月に収穫した晩柑類などの保存において、みかん類を熟成し、甘味を増してもぎたて状態を維持して出荷するのに好適である。
【考案を実施するための最良の形態】
【００１８】
以下、添付図面を参照しつつ本考案を実施するための最適の形態を説明する。図１は本考案の一実施形態に係る果菜類の保存用カバー１の斜視図、図２は図１のＦ２−Ｆ２線に沿って示す天井部の一部拡大断面図、図３は図１の縦断面図で、内部にコンテナを収納した状態で示してある。
【００１９】
図１に示すように、本考案の果菜類の保存用カバー１は、シート材２を、天井部３とこれに接合されて垂下される形の四方側面部４（４−１、４−２、４−３、４−４）を備えた無底の箱状に形成すると共に、相隣り合う側面接合部の内一部（４−４、４−１）の合わせ目を開閉自在に構成し、前記天井部３には、全天井面積の数％の面積の小さな開口部５を設け、前記開口部５には、この開口部の面積を全閉、半開、全開に自由に調節できる蓋６を設けている。
【００２０】
具体例を示すと、カバー１の寸法は、縦、横、高さ共に１１５０ｍｍで、開口部寸法は長さ３００ｍｍ、幅２００ｍｍである。計算上、開口部５の面積は、天井面積の約５％である。側面接合部の内一部（４−４、４−１）を開閉自在とするために、両側面の接合面には雌雄の面ファスナーＦ１、Ｆ２を設けている。ドットボタンで構成することもできるが、面ファスナーの方が取り扱い易い。
【００２１】
前記蓋６は、前記天井部３を構成するシート材２を切り欠いて形成したベロ状部材６（蓋６と同一参照符号で示す）で構成し、前記天井部３の上面及び前記ベロ状部材６の端部には、該ベロ状部材６の前記開口部５に対する反転操作によって開度調節を行い、これを適度の開度位置で固定する面ファスナーによる密着材を取付けている。密着材は、天井部上面でベロ上部材の前後に向けた面ファスナー７（７−１、７−２）と、ベロ状部材６の先端に設けたツマミ部８の両面に設けた面ファスナー９−１、９−２（図２（ａ）（ｂ）（ｃ）参照）とで構成している。
【００２２】
前記シート材２は、内部で発生したガスや空気を一方通行で外部に放出する通気性の有る樹脂製シート材で構成している。
【００２３】
具体的には、透湿防水膜と、高強度、高耐久のポリエチレンメッシュを両面に備えた３層複合素材である商品名「ＯＨ！甘マルチシート」で構成している。
【００２４】
図２に示すように、以上の構成による果菜類の保存用カバー１は、開口部５に備えたベロ状部材６の開閉操作により、全閉状態（a図）、半開状態（ｂ図）、全開状態（ｃ図）へと無段階で開度調節できる。即ち、ツマミ部８を図において右方の面ファスナー７−２に押し付けて密着し、（a）図のように全閉状態を維持できる。また、ツマミ部８の付いたベロ状部材６を反転させ、ツマミ部８の面ファスナー９−２を図において左方の面ファスナー７−１に押し付けて半開状態又は全開状態を維持できる。図において、矢印１０は空気の流れを示す。
【００２５】
空気１０の流れは収納した果菜類、例えばみかんの品質に大きく影響するので、多大の排気をしてはならず、種別及び状況に応じて適切に調節する。例えばみかん類の場合、もぎたて段階では多量のガス及び水分を放出するので、５０％開度とし、その後３０％開度に調節する等である。このようにして、みかん類を出荷の段階までもぎたて状態で保つことができ、しかもその間熟成できるので、よりおいしいみかん類を出荷できる。
【００２６】
図３に示すように、果菜類はコンテナＣ１、Ｃ２・・・に入れられて、パレット１１上に載置され、倉庫内に配置されている。そして、その上から果菜類の保存用カバー１が被せられる。このとき、本考案の果菜類の保存用カバー１は、図１に示したように側面の一部が開閉可能に構成されているので、容易に被せることができる。カバー１の天井部３には開口部５及び蓋６が設けられているので、被せるだけで図３の状態を作ることができ、後は、蓋（ベロ状部材）６を操作して開度調節するのみである。
【００２７】
果菜類の保存用カバー１は、シート材２を通気性の有るシート材で構成しているので、その表面からガスＧ、空気Ａ及び水分Ｗを放出できる。しかし、天井部３に開口部５を設けていない場合には、その排気量が十分でなく、結露せずともガスや水分が内部に残圧として篭ってしまう。しかるに、本考案では開口部５及び蓋６を設けているので、必要十分な排気を行って、ガスや水分が内部に篭るのを防止でき、果菜類、特にみかん類の保存において最適環境を育成できるのである。
【００２８】
上記実施の形態においては、開口部５の面積を天井部の面積の約５％としたが、これは２〜９％、より好ましくは４〜７％の間で調節できる。２％以下では少量すぎて新鮮野菜に適用できなくなる。９％より上では、全開によって排気量が多き過ぎ、果菜類を乾燥させてしまう。調節可能であるが誤って全開する可能性があり、好ましくない。シートが非通気性のものであってもせいぜい１５％とする。
【００２９】
また、上記実施形態では、開口部５及び蓋６を天井部３の中央部に１つ設けたが、例えば前後２ヶ所に設けたり、或いは４ヶ所に設けたり、面積を分け合って複数ヶ所に分散することができる。本例のように１１５０ｍｍサイズでは、中央１ヶ所とするのが最適である。長手の大型サイズでは、長さ方向に沿って複数ヶ所設けた方が好ましい。
【００３０】
さらに、上記実施形態では、蓋６を天井部３を切り欠いてのベロ状部材で構成したが、ベロ状部材を別途作成してその一辺を天井部に縫製しても良いこと勿論である。この場合には、蓋６となる材料を樹脂製フィルム以外の布地等で構成しても良い。
【００３１】
蓋６を単なる板で構成し、開口部５に対してずらして置いて排気量を調節することも考えられるが、これは好ましくない。ずれの量が曖昧で、開口量の調節がし難いからである。ベロ状部材６を２枚に分けて構成するのは構わない。しかし、操作が面倒となるだけでメリットが無い。
【００３２】
本考案は、上記実施形態に限定されるものではなく、適宜の設計的変更を行うことにより、各種態様で実施できる。
【図面の簡単な説明】
【００３３】
【図１】本考案の一実施形態に係る果菜類の保存用カバーの斜視図である。
【図２】図１のＦ２−Ｆ２線に沿って示す天井部の一部拡大断面図で、（a）図は蓋の全閉状態を、（ｂ）図は蓋の半開状態を、（ｃ）図は蓋の全開状態を示す。
【図３】図１の縦断面図で、内部にコンテナを収納した状態で示してある。
【符号の説明】
【００３４】
１  果菜類の保存用カバー
２  シート材
３  天井部
４（４−１、４−２、４−３、４−４）  側面部
５  開口部
６  蓋（ベロ状部材）
７（７−１、７−２）、９（９−１、９−２）面ファスナー
８  ツマミ部
１０  空気の流れ
１１  パレット
Ｃ１、Ｃ２〜Ｃ１５  コンテナ
Ｇ  ガス
Ａ  空気
Ｗ  水分
【図１】
0003120046.tif 000003
【図２】
0003120046.tif 000004
【図３】
0003120046.tif 000005